(57)【要約】【課題】扱室入口の受板上で穀稈穂先側部の掻込遅れが生じると、作業者がそれを察知して掻込装置を人為的に変速操作し、掻込速度が通常より速くなるように増速することによって雑草や藁屑を確実に掻き込み、詰まりなどによるトラブルを解消する。【解決手段】扱室（１１）前側の入口受板（８）上に、穀稈を強制的に扱室（１１）内へ掻込供給する掻込装置（１３）を設け、該掻込装置（１３）の駆動速度を、所定の第１速度から該第１速度よりも高速の第２速度へ人為的操作に基づいて増速させる変速装置（２０）を設ける。また、前記第１速度を脱穀フィードチェン（１０）の駆動速度と同一速度に設定する。【選択図】図４
2012157249.tif 000002
【特許請求の範囲】
【請求項１】
扱室（１１）前側の入口受板（８）上に、穀稈を強制的に扱室（１１）内へ掻込供給する掻込装置（１３）を設け、該掻込装置（１３）の駆動速度を、所定の第１速度から該第１速度よりも高速の第２速度へ人為的操作に基づいて増速させる変速装置（２０）を設けてあることを特徴とする脱穀機。
【請求項２】
前記第１速度を脱穀フィードチェン（１０）の駆動速度と同一速度に設定したことを特徴とする請求項１記載の脱穀機。
【請求項３】
前記第１速度を脱穀フィードチェン（１０）の駆動速度よりも高速に設定したことを特徴とする請求項１記載の脱穀機。
【請求項４】
前記掻込装置（１３）を、入口受板（８）上の穀稈の穂先側にのみ作用する構成としたことを特徴とする請求項１又は請求項２又は請求項３記載の脱穀機。
【請求項５】
前記掻込装置（１３）を、周面に掻込突起（１４ｂ）を有した掻込回転体（１４）としたことを特徴とする請求項４記載の脱穀機。
【請求項６】
前記掻込装置（１３）を、外周表面に掻込突起（１５ｃ）を有した掻込無端ベルト（１５）としたことを特徴とする請求項４記載の脱穀機。
【発明の詳細な説明】
【技術分野】
【０００１】
この発明は、穀稈の穂先側を扱室内へ掻込供給する穀稈掻込装置を備えた脱穀機に関する。
【背景技術】
【０００２】
従来、扱室の前側に、穀稈の穂先側部を係合保持して扱室内へ積極的に掻込供給する掻込装置を設けた脱穀機が知られている（特許文献１参照）。
【先行技術文献】
【特許文献】
【０００３】
【特許文献１】実公昭４８−３７２２５号公報
【発明の概要】
【発明が解決しようとする課題】
【０００４】
作業中、扱室内に通ずる供給口部に雑草類や藁屑等が多量に溜まってくると、供給される穀稈の穂先側が遅れ勝手となり、正常な姿勢で供給されなくなるため、扱ぎ残しや詰まりの発生要因となっている。
【０００５】
本発明の課題は、掻込装置による穀稈穂先側部の掻込遅れが生じてくると、作業者がそれを察知して掻込装置を人為的に変速操作し、掻込速度が通常より速くなるように増速することによって雑草や藁屑を確実に掻き込み、詰まりなどによるトラブルを解消せんとするものである。
【課題を解決するための手段】
【０００６】
この発明は、上記課題を解決すべく次のような技術的手段を講じた。
すなわち、請求項１記載の発明は、扱室（１１）前側の入口受板（８）上に、穀稈を強制的に扱室（１１）内へ掻込供給する掻込装置（１３）を設け、該掻込装置（１３）の駆動速度を、所定の第１速度から該第１速度よりも高速の第２速度へ人為的操作に基づいて増速させる変速装置（２０）を設けてあることを特徴とする脱穀機とする。
【０００７】
例えばコンバインによる刈取脱穀作業において、刈取穀稈が刈取部の搬送終端部から脱穀機（３）の脱穀フィードチェンに引き継がれる過程において、入口受板（８）上に至った穀稈の穂先側部は、所定の第１速度で回転している掻込装置（１３）によって扱室（１１）内へ強制的に掻き込まれる。穀稈の株元側は脱穀フィードチェンに引き継がれ、株元側の後方への挟持搬送に伴い扱室（１１）内に掻き込まれ穂先側部が扱胴によって脱穀処理される。
【０００８】
このような作業中において、入口受板（８）上での雑草類や藁屑などの溜まりによって穀稈の掻込遅れが発生すると、作業者は運転位置からその状況を見て掻込装置（１３）の変速装置（２０）を人為的に操作し、例えばボタンスイッチを押圧操作すると、変速装置（２０）が増速側に変速して掻込速度が第１速度よりも高速の第２速度に増速し、雑草や藁屑が強制的に掻き込まれる。
【０００９】
請求項２記載の発明は、前記第１速度を脱穀フィードチェン（１０）の駆動速度と同一速度に設定したことを特徴とする請求項１記載の脱穀機とする。
掻込装置（１３）の掻込速度が脱穀フィードチェン（１０）と同速であるため、穀稈が適正な姿勢で扱室（１１）内へ掻き込まれる。
【００１０】
請求項３記載の発明は、前記第１速度を脱穀フィードチェン（１０）の駆動速度よりも高速に設定したことを特徴とする請求項１記載の脱穀機とする。
掻込装置（１３）の掻込速度が脱穀フィードチェン（１０）の駆動速度よりも高速であるため、穀稈の株元側より穂先側を先行させた状態で掻き込まれる。
【００１１】
請求項４記載の発明は、前記掻込装置（１３）を、入口受板（８）上の穀稈の穂先側にのみ作用する構成としたことを特徴とする請求項１又は請求項２又は請求項３記載の脱穀機とする。
【００１２】
掻込作用が穀稈の穂先側に集中できるため、穂先側に溜まった雑草や藁屑の掻込作用が確実化される。
請求項５記載の発明は、前記掻込装置（１３）を、周面に掻込突起（１４ｂ）を有した掻込回転体（１４）としたことを特徴とする請求項４記載の脱穀機とする。
【００１３】
掻込回転体（１４）を例えば回転ブラシ等で構成すると、簡単な構造で安価に実施可能となる。
請求項６記載の発明は、前記掻込装置（１３）を、外周表面に掻込突起（１５ｃ）を有した掻込無端ベルト（１５）としたことを特徴とする請求項４記載の脱穀機とする。
【００１４】
掻込装置（１３）が無端ベルトであるため、穀稈に対し前後に長い行程でもって作用する。
【発明の効果】
【００１５】
請求項１の発明によれば、雑草や藁屑の溜まりによって穀稈の穂先遅れが生じてくると、作業者の人為的操作により、掻込装置（１３）の掻込速度を増速し、雑草や藁屑を扱室（１１）内へ確実に掻き込むことができる。従って、穀稈の穂先側の遅れによって扱ぎ残しや詰まりを未然に防止することができ、作業能率を高めることができる。
【００１６】
請求項２の発明によれば、請求項１の発明効果を奏するものでありながら、掻込速度が脱穀フィードチェン（１０）と同速であるため、常に適正な姿勢にて扱室（１１）内へ掻き込むことができ、脱穀性能を高めることができる。
【００１７】
請求項３の発明によれば、請求項１又は請求項２の発明効果を奏するものでありながら、掻込速度を脱穀フィードチェン（１０）よりも高速とすることで、穀稈の株元側より穂先側を先行させた状態で扱室（１１）内へ掻き込むことが可能となり、脱穀性能をより高めることができる。
【００１８】
請求項４の発明によれば、請求項１又は請求項２又は請求項３の発明効果に加えて、掻込装置（１３）は穀稈の穂先側にのみ作用するので、掻込作用を穂先側に集中でき、穂先側に溜まった雑草や藁屑の掻込作用を確実に行うことができる。
【００１９】
請求項５の発明によれば、請求項４の発明効果に加えて、掻込突起（１４ｂ）付の掻込回転体（１４）は、例えばブラシ等で構成すると、簡単な構造でもって安価に実施することができる。
【００２０】
請求項６の発明によれば、請求項４の発明効果に加えて、掻込装置（１３）が無端ベルトであるため、穀稈に対し前後に長い行程でもって作用させることができ、安定した姿勢で整然と掻き込むことができる。
【図面の簡単な説明】
【００２１】
【図１】コンバインの側面図
【図２】コンバインの平面図
【図３】脱穀機の要部の側断面図
【図４】同上要部の平面図
【図５】同上要部の正面図
【図６】脱穀機の要部の側断面図
【図７】同上要部の平面図
【図８】脱穀機の要部の側断面図
【図９】脱穀機の要部の側断面図
【図１０】脱穀機の要部の側断面図
【発明を実施するための形態】
【００２２】
この発明の実施例を図面に基づき説明する。
図１及び図２は、コンバインを示すものであり、この走行車体１には、左右一対の走行クローラ２，２を備え、後部に搭載した脱穀機（脱穀装置）３の前方部に刈取部４を設置し、刈取部４の横側部には運転席５や前側のフロント操作ボックス６、左側のサイド操作ボックス７等からなる運転操作部を備え、更に、その運転操作部の後方には脱穀粒を一時的に貯留するグレンタンクＧを装備している。
【００２３】
脱穀装置（脱穀機）３は、扱室一側に張設された脱穀フィードチェン１０により株元部を挟持しながら搬送される穀稈の穂先側部が入口受板８上から供給口９を通じて扱室１１内に供給され、扱胴１２の回転によって脱穀処理されるようになっている。
【００２４】
扱室前側の入口受板８上には、刈取部の搬送終端部から送られてくる穀稈を受け継いで強制的に扱室１１内へ掻込供給する掻込装置１３が設けられている。
掻込装置１３は、通常（刈取脱穀作業時）では、所定の掻込速度で回転駆動されるようになっており、供給口９の穂先側付近に雑草や藁屑の溜まりなどによる不具合が生じた時には、ボタンスイッチ１８を押すと、モータ１９の駆動によりベルト無段変速装置（変速装置）２０が増速側に作動するようになっており、掻込速度を通常より速くすることによって掻込作用が確実に行えるように構成している。ボタンスイッチ１８を再度押すと、掻込速度は通常速度に復帰するようになっている。なお、ボタンスイッチを押している間は掻込装置の回転数がアップするように構成することもできる。また、掻込装置は原動側から入力プーリ２２、ギヤ伝動ボックス２３、ベルコンプーリ２１を介して回転駆動されるようになっている。前記ボタンスイッチ１８は、運転位置より左側のサイド操作ボックス７上に設置され、運転者が脱穀機への穀稈掻込供給状態を見ながら操作できる位置に配置されている。
【００２５】
掻込装置１３による掻込速度は、脱穀フィードチェン１０と同一速度に設定しておくと、常に適正な姿勢にて扱室内へ掻き込むことができる。
また、この掻込速度を脱穀フィードチェン１０よりも速くなるように設定することもでき、これによる場合は、常時穀稈の穂先側を株元側より先行させた状態で掻き込むことができ、穂先遅れなどによる不具合が生じにくくなる。
【００２６】
掻込装置１３は、図４、図７に示すように、供給される穀稈の穂先側にのみ集中的に作用させるように構成しておくことが望ましく、掻込作用を効率よく効果的に行うことができる。
【００２７】
また、掻込装置１３は、図３、図４に示すように、掻込回転軸１４ａの周面に放射方向に突設した掻込突起１４ｂ付き掻込回転体（回転ブラシ）１４の構成であってもよく、図６、図７に示すように、掻込回転軸１５ａ，１５ｂ間に巻回されて外周表面に掻込突起１５ｃを突設した掻込無端ベルト１５による構成であっても良い。
【００２８】
掻込回転体１４は、図３に示すように、左回転で穀稈の上側から作用して掻込供給するものであってもよく、図８に示すように、右回転で穀稈の下側から作用して掻込供給するものであっても良い。
【００２９】
また、掻込無端ベルト１５にあっても、右回転で穀稈の下側から作用して掻込供給し（図６参照）、左回転で穀稈の上側から作用して掻込供給する（図９参照）手段をとっても良い。また、図１０に示すように、一対の掻込回転体１４，１４を上下に対向させ、互いに内向きに回転させながら穀稈を挟むようにして掻込供給するものであっても良い。
【００３０】
前記掻込装置１３を刈取部４側に連動させて回転駆動（刈取クラッチ入りに同調して掻込装置が駆動する構成）するか、脱穀機側に連動させて回転駆動（脱穀クラッチ入りに同調して掻込装置が自動的に回転駆動する構成）するかによって決まるが、掻込装置を刈取部側に設定したものでは、脱穀機を駆動して手扱ぎ（枕扱ぎ）する場合には、通常、刈取クラッチを切りして作業するため、掻込装置が駆動されない。このようなとき、掻込クラッチスイッチを押してオンにすると、掻込装置が自動的に駆動されるように構成することができ、更にこのスイッチを再度押すと掻込速度が増速されるように構成することもできる。なお、かかる場合の掻込クラッチスイッチは、脱穀機の脱穀フィードチェン側近くに設けておくと便利である。このスイッチをペダルによる足踏み操作で行えるようにしておくとなお便利である。
【００３１】
また、掻込装置が脱穀機側に設定されている場合には、掻込ボタンスイッチを押動操作すると、掻込速度が自動的に増速されるように構成することもできる。
穀稈が刈取部の搬送終端部若しくは脱穀機の入口受板上近くに達すると、穀稈の穂先側を検出する穂先センサを設けて、該センサの検出結果に基づき、掻込装置が自動敵に作動するように構成することもできる。
【００３２】
また、作業中、詰まり等のトラブルが生じた場合、これを解消するために、急遽、掻込装置を逆転させて前方に掻き出すように構成することもできる。
掻込速度の増速によって雑草を扱室内へ強制的に掻き込んだ場合、雑草が扱室内を通過する時点で選別棚（シーブ開度）が一時的に閉じるように構成しておくと、選別不良を未然に防止することができる。
【符号の説明】
【００３３】
８  入口受板
１０  脱穀フィードチェン
１１  扱室
１３  掻込装置
１４  掻込回転体
１５  掻込無端ベルト
２０  ベルト無段変速装置（変速装置）
【図１】
2012157249.tif 000003
【図２】
2012157249.tif 000004
【図３】
2012157249.tif 000005
【図４】
2012157249.tif 000006
【図５】
2012157249.tif 000007
【図６】
2012157249.tif 000008
【図７】
2012157249.tif 000009
【図８】
2012157249.tif 000010
【図９】
2012157249.tif 000011
【図１０】
2012157249.tif 000012